(57)【要約】【課題】瞼が閉じることを規制するための部材が被験者の顔面の形状に倣いにくい場合に比べ、瞼が閉じることを規制する部材と瞼との間に隙間が生じることを起きにくくする。【解決手段】（Ａ）に示すように、開瞼装置１を被験者に取り付けると、瞼接触部材１００は、瞼を含む被験者の顔面に押し当てられて、顔面から離れる方向に向かって凸となるように変形する。瞼接触部材１００のうちの支持部材２００により支持されていない部分である中央部分１１３Ｃおよび目尻側部分１１３Ｊの曲げ剛性が、他の部分である目頭側部分１１３Ｍの曲げ剛性よりも小さくなっている。これにより、この中央部分１１３Ｃおよび目尻側部分１１３Ｊで、瞼接触部材１００が曲がり、瞼接触部材１００が、顔面から離れる方向に向かって凸となる。【選択図】図３
2019037744.tif 000002
【特許請求の範囲】
【請求項１】
被験者に対して固定されて当該被験者の眼球の目頭側から目尻側にかけて配置されるとともに、当該眼球を覆う瞼を含む当該被験者の顔面に押し当てられて当該顔面から離れる方向に向かって凸となる接触部材と、
前記接触部材を前記被験者に固定するための固定用部材と、
を備える開瞼装置。
【請求項２】
前記接触部材には、曲げ剛性が当該接触部材の他の部分よりも低い低剛性部が設けられており、当該低剛性部で当該接触部材が曲がり、前記離れる方向に向かって当該接触部材が凸となる請求項１に記載の開瞼装置。
【請求項３】
前記接触部材が被験者に対して固定された状態にて、前記低剛性部は、当該被験者の瞼の長手方向における中央部に対向する箇所に位置し、又は、当該中央部よりも当該被験者の目尻側に位置し、又は、当該中央部から目尻側にかけて位置する請求項２に記載の開瞼装置。
【請求項４】
前記接触部材よりも剛性を有する材料により構成され、当該接触部材を支持する支持部材を更に備え、
前記接触部材には、前記支持部材により支持されていない箇所が設けられ、当該支持されていない箇所にて当該接触部材が曲がり、前記離れる方向に向かって当該接触部材が凸となる請求項１に記載の開瞼装置。
【請求項５】
前記接触部材のうちの、被験者の目頭側に配置される部分は、前記支持部材により支持されている請求項４に記載の開瞼装置。
【請求項６】
前記接触部材のうちの、被験者の目頭側に配置される部分を当該被験者の顔面に向けて付勢する付勢手段をさらに備える請求項１に記載の開瞼装置。
【請求項７】
被験者の眼球を覆う瞼に接触配置され、瞼が閉じることを規制する規制部と、
前記規制部よりも前記眼球の目尻側に配置されるとともに当該規制部に接続した状態で設けられ、被験者の顔面に押し当てられて弾性変形する弾性変形部と、
を備える開瞼装置。
【請求項８】
前記弾性変形部は、被験者の顔面から離れる方向に向かって凸となるように弾性変形可能となっている請求項７に記載の開瞼装置。
【請求項９】
前記規制部の方が、前記弾性変形部よりも、被験者の顔面から離れる方向に向かって凸となりにくい請求項８に記載の開瞼装置。
【請求項１０】
前記規制部の曲げ剛性の方が、前記弾性変形部の曲げ剛性よりも大きい請求項７に記載の開瞼装置。
【請求項１１】
前記規制部の肉厚の方が、前記弾性変形部の肉厚よりも大きい請求項７に記載の開瞼装置。
【請求項１２】
前記弾性変形部は、シート状に形成され、一方の面が被験者の顔面に対向するように配置される請求項７に記載の開瞼装置。
【請求項１３】
被験者に対して固定された場合に当該被験者の眼球の目頭側から目尻側にかけて配置され、目頭側端部および目尻側端部を有し、長手方向における一部が、当該眼球を覆う瞼に接触される接触部材と、
前記接触部材よりも硬質の材料により構成され、当該接触部材を支持する支持部材と、を備え、
前記接触部材の前記目頭側端部から前記目尻側端部に至る領域の全てに前記支持部材が配置されておらず、当該領域内に、当該支持部材が配置されていない箇所が存在する開瞼装置。
【請求項１４】
前記支持部材は、前記接触部材の前記目頭側端部に少なくとも設けられている請求項１３に記載の開瞼装置。
【請求項１５】
被験者に対して固定された場合に当該被験者の眼球の目頭側から目尻側にかけて配置され、当該眼球を覆う瞼に接触配置される接触部材と、
前記接触部材のうちの前記目頭側に配置される部分から、前記被験者の顔面から離れる方向に向かって突出し、当該接触部材を当該被験者の鼻側へ引っ張るための引っ張り力を受ける突出部と、
を備える開瞼装置。
【請求項１６】
前記突出部のうちの前記引っ張り力を受ける箇所よりも、前記被験者の顔面に近い側に、前記接触部材が配置される請求項１５に記載の開瞼装置。
【請求項１７】
前記接触部材のうちの前記被験者の顔面に接触する接触部分と、前記突出部のうちの前記引っ張り力を受ける箇所との離間距離が、８ｍｍ以上である請求項１５に記載の開瞼装置。
【請求項１８】
前記開瞼装置が取り付けられた被験者の顔面を正面から見た場合に、当該被験者の一方の目の目頭と他方の目の目頭とを通る直線上から外れた位置に、前記突出部が位置する請求項１５に記載の開瞼装置。
【請求項１９】
前記突出部は、少なくとも２つ設けられ、
一方の前記突出部が、前記直線を挟んで相対する一方の領域および他方の領域のうちの一方の領域側に位置し、他方の前記突出部が、他方の領域側に位置する請求項１８に記載の開瞼装置。
【請求項２０】
前記突出部は、少なくとも２つ設けられ、
前記開瞼装置が被験者に取り付けられた状態において、一の前記突出部と他の前記突出部は、当該被験者の下瞼から上瞼に向かう方向において互いにずらされて配置され、
前記一の突出部と前記他の突出部との間には、前記下瞼から前記上瞼に向かう前記方向と交差する方向に沿って進行する光を通すための光通過部が設けられている請求項１５に記載の開瞼装置。
【請求項２１】
前記接触部材が、被験者の頭蓋骨に押し当てられるように、且つ、前記眼球が収まる眼窩の周囲に位置する縁部分に押し当てられるように構成されている請求項１５に記載の開瞼装置。
【請求項２２】
前記接触部材として、上瞼および下瞼のうちの一方の瞼に接触配置される第１接触部材と、他方の瞼に接触配置される第２接触部材とが設けられ、
前記第１接触部材と前記第２接触部材との離間距離が、１９．０ｍｍ以上３４．０ｍｍ以下である請求項１５に記載の開瞼装置。
【発明の詳細な説明】
【技術分野】
【０００１】
本発明は、開瞼装置に関する。
【背景技術】
【０００２】
特許文献１には、被計測者の眼球周辺の皮膚に接触して被計測者の上眼瞼および下眼瞼を開いた状態に維持する瞼抑え部が開示されている。
特許文献２には、眼瞼を囲繞し顔面に接して装着される可撓性を有する上リングを備えた開瞼器が開示されている。
特許文献３には、ノ−ズパッド本体から下眼瞼方向を指向した弾性を有するア−ムを備えた構成が開示されている。
【先行技術文献】
【特許文献】
【０００３】
【特許文献１】特開２０１６−１０７１１５号公報
【特許文献２】特開２００９−２５４４２７号公報
【特許文献３】特開２０００−２６２５４９号公報
【発明の概要】
【発明が解決しようとする課題】
【０００４】
眼科の診療などにおいては、開瞼状態を維持することが要求される場合があり、この場合、例えば、瞼に接触する接触部材を瞼に押し当てることで、瞼が閉じることを抑制可能となる。ところで、人間の顔面には凹凸があるため、この凹凸に起因して、接触部材と瞼との間に隙間が生じ、この隙間によって、瞼が閉じやすくなってしまう。
本発明の目的は、瞼が閉じることを規制するための部材が被験者の顔面の形状に倣いにくい場合に比べ、瞼が閉じることを規制する部材と瞼との間に隙間が生じることを起きにくくすることにある。
【課題を解決するための手段】
【０００５】
請求項１に記載の発明は、被験者に対して固定されて当該被験者の眼球の目頭側から目尻側にかけて配置されるとともに、当該眼球を覆う瞼を含む当該被験者の顔面に押し当てられて当該顔面から離れる方向に向かって凸となる接触部材と、前記接触部材を前記被験者に固定するための固定用部材と、を備える開瞼装置である。
請求項２に記載の発明は、前記接触部材には、曲げ剛性が当該接触部材の他の部分よりも低い低剛性部が設けられており、当該低剛性部で当該接触部材が曲がり、前記離れる方向に向かって当該接触部材が凸となる請求項１に記載の開瞼装置である。
請求項３に記載の発明は、前記接触部材が被験者に対して固定された状態にて、前記低剛性部は、当該被験者の瞼の長手方向における中央部に対向する箇所に位置し、又は、当該中央部よりも当該被験者の目尻側に位置し、又は、当該中央部から目尻側にかけて位置する請求項２に記載の開瞼装置である。
請求項４に記載の発明は、前記接触部材よりも剛性を有する材料により構成され、当該接触部材を支持する支持部材を更に備え、前記接触部材には、前記支持部材により支持されていない箇所が設けられ、当該支持されていない箇所にて当該接触部材が曲がり、前記離れる方向に向かって当該接触部材が凸となる請求項１に記載の開瞼装置である。
請求項５に記載の発明は、前記接触部材のうちの、被験者の目頭側に配置される部分は、前記支持部材により支持されている請求項４に記載の開瞼装置である。
請求項６に記載の発明は、前記接触部材のうちの、被験者の目頭側に配置される部分を当該被験者の顔面に向けて付勢する付勢手段をさらに備える請求項１に記載の開瞼装置である。
請求項７に記載の発明は、被験者の眼球を覆う瞼に接触配置され、瞼が閉じることを規制する規制部と、前記規制部よりも前記眼球の目尻側に配置されるとともに当該規制部に接続した状態で設けられ、被験者の顔面に押し当てられて弾性変形する弾性変形部と、を備える開瞼装置である。
請求項８に記載の発明は、前記弾性変形部は、被験者の顔面から離れる方向に向かって凸となるように弾性変形可能となっている請求項７に記載の開瞼装置である。
請求項９に記載の発明は、前記規制部の方が、前記弾性変形部よりも、被験者の顔面から離れる方向に向かって凸となりにくい請求項８に記載の開瞼装置である。
請求項１０に記載の発明は、前記規制部の曲げ剛性の方が、前記弾性変形部の曲げ剛性よりも大きい請求項７に記載の開瞼装置である。
請求項１１に記載の発明は、前記規制部の肉厚の方が、前記弾性変形部の肉厚よりも大きい請求項７に記載の開瞼装置である。
請求項１２に記載の発明は、前記弾性変形部は、シート状に形成され、一方の面が被験者の顔面に対向するように配置される請求項７に記載の開瞼装置である。
請求項１３に記載の発明は、被験者に対して固定された場合に当該被験者の眼球の目頭側から目尻側にかけて配置され、目頭側端部および目尻側端部を有し、長手方向における一部が、当該眼球を覆う瞼に接触される接触部材と、前記接触部材よりも硬質の材料により構成され、当該接触部材を支持する支持部材と、を備え、前記接触部材の前記目頭側端部から前記目尻側端部に至る領域の全てに前記支持部材が配置されておらず、当該領域内に、当該支持部材が配置されていない箇所が存在する開瞼装置である。
請求項１４に記載の発明は、前記支持部材は、前記接触部材の前記目頭側端部に少なくとも設けられている請求項１３に記載の開瞼装置である。
請求項１５に記載の発明は、被験者に対して固定された場合に当該被験者の眼球の目頭側から目尻側にかけて配置され、当該眼球を覆う瞼に接触配置される接触部材と、前記接触部材のうちの前記目頭側に配置される部分から、前記被験者の顔面から離れる方向に向かって突出し、当該接触部材を当該被験者の鼻側へ引っ張るための引っ張り力を受ける突出部と、を備える開瞼装置である。
請求項１６に記載の発明は、前記突出部のうちの前記引っ張り力を受ける箇所よりも、前記被験者の顔面に近い側に、前記接触部材が配置される請求項１５に記載の開瞼装置である。
請求項１７に記載の発明は、前記接触部材のうちの前記被験者の顔面に接触する接触部分と、前記突出部のうちの前記引っ張り力を受ける箇所との離間距離が、８ｍｍ以上である請求項１５に記載の開瞼装置である。
請求項１８に記載の発明は、前記開瞼装置が取り付けられた被験者の顔面を正面から見た場合に、当該被験者の一方の目の目頭と他方の目の目頭とを通る直線上から外れた位置に、前記突出部が位置する請求項１５に記載の開瞼装置である。
請求項１９に記載の発明は、前記突出部は、少なくとも２つ設けられ、一方の前記突出部が、前記直線を挟んで相対する一方の領域および他方の領域のうちの一方の領域側に位置し、他方の前記突出部が、他方の領域側に位置する請求項１８に記載の開瞼装置である。
請求項２０に記載の発明は、前記突出部は、少なくとも２つ設けられ、前記開瞼装置が被験者に取り付けられた状態において、一の前記突出部と他の前記突出部は、当該被験者の下瞼から上瞼に向かう方向において互いにずらされて配置され、前記一の突出部と前記他の突出部との間には、前記下瞼から前記上瞼に向かう前記方向と交差する方向に沿って進行する光を通すための光通過部が設けられている請求項１５に記載の開瞼装置である。
請求項２１に記載の発明は、前記接触部材が、被験者の頭蓋骨に押し当てられるように、且つ、前記眼球が収まる眼窩の周囲に位置する縁部分に押し当てられるように構成されている請求項１５に記載の開瞼装置である。
請求項２２に記載の発明は、前記接触部材として、上瞼および下瞼のうちの一方の瞼に接触配置される第１接触部材と、他方の瞼に接触配置される第２接触部材とが設けられ、前記第１接触部材と前記第２接触部材との離間距離が、１９．０ｍｍ以上３４．０ｍｍ以下である請求項１５に記載の開瞼装置である。
【発明の効果】
【０００６】
請求項１の発明によれば、瞼が閉じることを規制するための部材が被験者の顔面の形状に倣いにくい場合に比べ、瞼が閉じることを規制する部材と瞼との間に隙間が生じることを起きにくくすることができる。
請求項２の発明によれば、接触部材の全体が低剛性で形成されている場合に比べ、接触部材の特定の箇所で接触部材を曲げることができるようになる。
請求項３の発明によれば、低剛性部が、目頭側に位置する場合に比べ、接触部材のうちの目頭側に配置される部分と被験者の顔面との密着度合いを高めることができる。
請求項４の発明によれば、接触部材の強度を確保しつつ接触部材を曲げることができるようになる。
請求項５の発明によれば、接触部材のうちの目頭側に配置される部分が支持部材により支持されない場合に比べ、接触部材のうちの、被験者の目頭側に配置される部分と、被験者の顔面との密着度合いを高めることができる。
請求項６の発明によれば、接触部材のうちの、被験者の目頭側に配置される部分を被験者の顔面に向けて付勢する付勢手段が設けられていない場合に比べ、接触部材のうちの、被験者の目頭側に配置される部分と、被験者の顔面との密着度合いを高めることができる。
請求項７の発明によれば、瞼が閉じることを規制するための部材が被験者の顔面の形状に倣いにくい場合に比べ、瞼が閉じることを規制する部材と瞼との間に隙間が生じることを起きにくくすることができる。
請求項８の発明によれば、被験者の顔面から離れる方向に向かって凸となるように弾性変形可能となっていない場合に比べ、瞼が閉じることを規制する規制部と瞼との密着度合いを高めることができる。
請求項９の発明によれば、規制部の方が、弾性変形部よりも、被験者の顔面から離れる方向に向かって凸となりやすい場合に比べ、被験者の瞼への規制部の押し当てをより確実に行うことができる。
請求項１０の発明によれば、規制部の曲げ剛性の方が弾性変形部の曲げ剛性よりも小さい場合に比べ、被験者の瞼への規制部の押し当てをより確実に行うことができる。
請求項１１の発明によれば、規制部の肉厚の方が弾性変形部の肉厚よりも小さい場合に比べ、被験者の瞼への規制部の押し当てをより確実に行うことができる。
請求項１２の発明によれば、弾性変形部がシート状に形成されておらず肉厚が大きい場合に比べ、弾性変形部をより少ない力で変形させられる。
請求項１３の発明によれば、瞼が閉じることを規制するための部材が被験者の顔面の形状に倣いにくい場合に比べ、瞼が閉じることを規制する部材と瞼との間に隙間が生じることを起きにくくすることができる。
請求項１４の発明によれば、支持部材が接触部材の目頭側端部に設けられていない場合に比べ、接触部材のうちの、被験者の目頭側に配置される部分と、被験者の顔面との密着度合いを高めることができる。
請求項１５の発明によれば、突出部が目尻側に配置される場合に比べ、瞼が閉じることを規制する部材のうちの目尻側に配置される部分を変形させやすくすることができ、瞼が閉じることを規制する部材と瞼との間に隙間が生じることを起きにくくすることができる。
請求項１６の発明によれば、引っ張り力を受ける箇所と顔面との距離と、接触部材と顔面との距離とが異ならない場合に比べ、瞼に対する接触部材の押し当て荷重を増すことができる。
請求項１７の発明によれば、接触部材のうちの被験者の顔面に接触する接触部分と、引っ張り力を受ける箇所との離間距離が、８ｍｍ未満である場合に比べ、開瞼装置による開瞼機能を向上させることができる。
請求項１８の発明によれば、被験者の一方の目の目頭と他方の目の目頭とを通る直線上に突出部が位置する場合に比べ、被験者の眼球に関する測定が、突出部に起因して行いにくくなることを抑制できる。
請求項１９の発明によれば、一方および他方の突出部の何れか一方が、被験者の一方の目の目頭と他方の目の目頭とを通る直線上に位置する場合に比べ、被験者の眼球に関する測定が、突出部に起因して行いにくくなることを抑制できる。
請求項２０の発明によれば、一の突出部と他の突出部との間に、光を通すための光通過部が設けられない場合に比べ、被験者の眼球に関する測定をより行いやすいものにできる。
請求項２１の発明によれば、被験者の眼球に接触部材が押し当てられる構成に比べ、被験者の眼球が接触部材により圧迫されることを抑制できる。
請求項２２の発明によれば、第１接触部材と第２接触部材との離間距離が、１９．０ｍｍ未満又は３４．０ｍｍを超える場合に比べ、被験者の眼窩の周囲に位置する、頭蓋骨の縁部分に、接触部材が押し当てられる可能性を高めることができる。
【図面の簡単な説明】
【０００７】
【図１】（Ａ）、（Ｂ）は、開瞼装置を説明する図である。
【図２】被験者に対して開瞼装置を装着した状態を、被験者の正面から眺めた場合の図である。
【図３】（Ａ）は、開瞼装置を被験者に取り付けた状態を、被験者の上方から眺めた場合の模式図であり、（Ｂ）は、比較例を示した図である。
【図４】開瞼装置の他の構成例を示した図である。
【図５】開瞼装置の他の構成例を示した図である。
【図６】開瞼装置の他の構成例を示した図である。
【図７】開瞼装置を被験者に取り付けた状態を示した図である。
【図８】被験者の正面から被験者の頭蓋骨を見た場合の図である。
【図９】図６の矢印ＩＸ方向から開瞼装置を眺めた場合の図である。
【図１０】引っ張り力受け部と接触部分との離間距離を変化させた場合の、開瞼機能の変化、および、開瞼装置の装着感の変化を示した図である。
【発明を実施するための形態】
【０００８】
以下、添付図面を参照して、本発明の実施の形態について詳細に説明する。
図１（Ａ）、（Ｂ）は、本実施形態の開瞼装置１を説明する図である。
図１（Ａ）は、瞼に接触する側から開瞼装置１を眺めた場合の図であり、図１（Ｂ）は、図１（Ａ）とは反対側から開瞼装置１を眺めた場合の図である。
言い換えると、図１（Ａ）は、被験者に対向配置される側から開瞼装置１を眺めた場合の図であり、図１（Ｂ）は、図１（Ａ）とは反対側から開瞼装置１を眺めた場合の図である。
【０００９】
図１（Ａ）に示すように、開瞼装置１には、被験者の瞼に接触配置される瞼接触部材１００、瞼接触部材１００を支持する支持部材２００、瞼接触部材１００および支持部材２００を被験者に対して固定するための固定用部材であるゴム紐３００が設けられている。
【００１０】
接触部材の一例としての瞼接触部材１００は、環状に形成され、また、ゴムや樹脂材料などの軟質の部材により形成されている。
また、瞼接触部材１００には、被験者の眼球を覆う上瞼および下瞼の一方の瞼側に配置される第１部位１１１と、他方の瞼側に配置される第２部位１１２とが設けられている。
第１部位１１１および第２部位１１２の各々は、開瞼装置１が被験者に取り付けられると、被験者の眼球の目頭側から目尻側にかけて配置される。
【００１１】
第１部位１１１は、被験者の上瞼および下瞼のうちの一方の瞼に接触して（一方の瞼に押し当てられ）、この一方の瞼が閉じることを規制する。
第２部位１１２は、他方の瞼に接触して（他方の瞼に押し当てられ）、この他方の瞼が閉じることを規制する。
【００１２】
以下の説明では、被験者の右目（被験者を正面から眺めた場合の左目）に対して、開瞼装置１が取り付けられる場合を説明する。
この場合、第１部位１１１は上瞼に接触し、第２部位１１２は下瞼に接触する。なお、本実施形態の開瞼装置１は、左目にも用いることができ、この場合、第１部位１１１が下瞼に接触し、第２部位１１２が上瞼に接触する。
【００１３】
第１部位１１１および第２部位１１２の各々は、開瞼装置１が被験者に対して固定された場合に被験者の眼球の目頭側から目尻側にかけて配置される。
第１部位１１１および第２部位１１２の各々は、目頭側端部１１８および目尻側端部１１９を有する。第１部位１１１および第２部位１１２の各々は、長手方向における一部（中央部）が、被験者の瞼に接触配置される。
【００１４】
さらに、第１部位１１１および第２部位１１２の各々は、目頭側部分１１３Ｍ、中央部分１１３Ｃ、および、目尻側部分１１３Ｊを有する。
目頭側部分１１３Ｍは、開瞼装置１が被験者に対して固定された場合に、被験者の目頭側に配置される。目頭側部分１１３Ｍは、中央部分１１３Ｃに接続して配置されるとともにこの中央部分１１３Ｃよりも被験者の目頭側に配置される。
【００１５】
目尻側部分１１３Ｊは、開瞼装置１が被験者に対して固定された場合に、被験者の目尻側に配置される。目尻側部分１１３Ｊは、中央部分１１３Ｃに接続して配置されるとともにこの中央部分１１３Ｃよりも被験者の目尻側に配置される。
中央部分１１３Ｃは、目頭側部分１１３Ｍと目尻側部分１１３Ｊとの間に配置され、開瞼装置１が被験者に対して固定された場合に、被験者の瞼の対向位置に配置される。
【００１６】
本実施形態では、瞼に対して、主に中央部分１１３Ｃが押し当てられて、瞼が閉じることが規制される。ここで、本実施形態の中央部分１１３Ｃは、瞼が閉じることを規制する規制部として捉えることができる。
また、本実施形態の目尻側部分１１３Ｊは、弾性変形部として捉えることができ、開瞼装置１が被験者に装着されると、この目尻側部分１１３Ｊは弾性変形する（詳細は後述）。
【００１７】
図１（Ｂ）に示すように、支持部材２００は、その一部が、目頭側部分１１３Ｍの内部に埋め込まれ、他の一部が、目頭側部分１１３Ｍから突出している。
本実施形態の開瞼装置１では、瞼接触部材１００の目頭側端部１１８から目尻側端部１１９に至る領域の全てに支持部材２００が配置されておらず、この領域内に、支持部材２００が配置されていない箇所が存在する。
【００１８】
具体的には、瞼接触部材１００の目頭側端部１１８から目尻側端部１１９に至る領域のうち、中央部分１１３Ｃ、目尻側部分１１３Ｊが位置する箇所では、支持部材２００が設けられていない。
より具体的には、第１部位１１１および第２部位１１２の各々は、目頭側端部１１８および目尻側端部１１９を有するが、第１部位１１１および第２部位１１２の各々では、目頭側端部１１８から目尻側端部１１９に至る領域の全域に、支持部材２００は設けられておらず、一部の領域に、支持部材２００は設けられている。
【００１９】
支持部材２００は、金属材料により構成され、瞼接触部材１００よりも硬質の材料により構成されている。言い換えると、支持部材２００は、瞼接触部材１００よりも剛性を有する材料により構成されている。また、本実施形態の支持部材２００は、ワイヤ状の材料により構成されている。
【００２０】
また、支持部材２００は、上記のとおり、目頭側部分１１３Ｍに設けられている。
言い換えると、支持部材２００は、瞼接触部材１００の目頭側端部１１８側に設けられている。
なお、支持部材２００は、中央部分１１３Ｃまで延ばして設けてもよい。言い換えると、支持部材２００は、目頭側部分１１３Ｍから中央部分１１３Ｃにかけて設けてもよい。
【００２１】
さらに、本実施形態では、図１（Ｂ）に示すように、支持部材２００が、目頭側部分１１３Ｍから突出している。
本実施形態では、開瞼装置１が被験者に取り付けられると、この支持部材２００のうち目頭側部分１１３Ｍから突出している部分（図１（Ｂ）にて符号２１０で示す部分）は、瞼接触部材１００よりも、被験者の顔面から離れた側に位置する。
【００２２】
固定用部材の一例としてのゴム紐３００は、図１（Ａ）に示すように、鼻側ゴム紐３１０と、耳側ゴム紐３２０とにより構成されている。
鼻側ゴム紐３１０は、環状に形成されている。また、鼻側ゴム紐３１０は、支持部材２００に取り付けられている。鼻側ゴム紐３１０は、開瞼装置１が被験者に取り付けられた際には、被験者の鼻側に位置する。
【００２３】
さらに、鼻側ゴム紐３１０は、被験者の左耳（被験者を正面から眺めた場合の右耳）に対して引っ掛けられて固定される。
言い換えると、鼻側ゴム紐３１０は、測定装置（不図示）（眼球に関する測定を行う測定装置）による測定の対象となる眼球が位置する側とは反対側に位置する耳に対して取り付けられる。
さらに、この鼻側ゴム紐３１０は、支持部材２００を、被験者の鼻側（被験者の目頭側）へ引っ張る。
【００２４】
耳側ゴム紐３２０は、開瞼装置１が被験者に取り付けられると、この被験者の右耳側（鼻側とは反対側に位置する耳側、被験者を正面から眺めた場合の左耳側）に位置し、この右耳に対して引っ掛けられて固定される。
言い換えると、耳側ゴム紐３２０は、測定対象となる眼球と同じ側に位置する耳に対して取り付けられる。耳側ゴム紐３２０は、瞼接触部材１００の目尻側端部１１９に対して固定され、この目尻側端部１１９を、被験者の耳側（被験者の目尻側）へ引っ張る。
【００２５】
ここで、本実施形態では、上記のとおり、また、図１（Ｂ）に示すように、支持部材２００の一部（符号２１０で示す部分）が、瞼接触部材１００（目頭側部分１１３Ｍ）の外表面から突出している。
本実施形態では、この突出する部分に対して、鼻側ゴム紐３１０が取り付けられている。さらに、本実施形態では、支持部材２００の一部が突出した結果、この一部と、瞼接触部材１００との間に間隙１Ｂが設けられている。
なお、本明細書では、以下、支持部材２００の突出した上記一部を、目頭側突出部２１０と称する。
【００２６】
図２は、被験者に対して開瞼装置１を装着した状態を、被験者の正面から眺めた場合の図である。なお、図２では、ゴム紐３００、支持部材２００の図示を省略し、瞼接触部材１００のみを図示している。
被験者に対して開瞼装置１が取り付けられると、被験者の眼球（右目の眼球）の周囲に位置する部分に対して、瞼接触部材１００が押し当てられる。
具体的には、上瞼に対して、瞼接触部材１００の第１部位１１１が押し当てられ、下瞼に対して、瞼接触部材１００の第２部位１１２が押し当てられる。これにより、上瞼および下瞼が閉じることが抑えられる。
【００２７】
図３（Ａ）は、開瞼装置１を被験者に取り付けた状態を、被験者の上方から眺めた場合の模式図である。図３（Ｂ）は、比較例を示した図である。
図３（Ａ）に示すように、本実施形態の開瞼装置１を被験者に取り付けると、被験者の左耳に対して、鼻側ゴム紐３１０が引っ掛けられ、被験者の右耳に対して耳側ゴム紐３２０が引っ掛けられる。さらに、上記のとおり、被験者の右目の上瞼および下瞼に対して瞼接触部材１００が押し当てられる。
【００２８】
さらに、本実施形態では、目頭側突出部２１０の突出方向における先端部２１０Ａに、鼻側ゴム紐３１０が取り付けられており、この先端部２１０Ａを鼻側へ引っ張る引っ張り力が、この先端部２１０Ａに作用する。
また、瞼接触部材１００の目尻側端部１１９に対して、耳側ゴム紐３２０が取り付けられており、この目尻側端部１１９には、瞼接触部材１００を右耳側へ引っ張る引っ張り力が作用する。
【００２９】
本実施形態のように、目頭側突出部２１０の先端部２１０Ａに、鼻側へ引っ張る引っ張り力（以下、「鼻側引っ張り力」と称する）が作用すると、図３（Ａ）の矢印３Ａに示すように、支持部材２００、瞼接触部材１００を反時計周り方向に回転させる回転モーメントが、支持部材２００、瞼接触部材１００に作用する。
これにより、第１部位１１１、第２部位１１２の各々が有する目頭側部分１１３Ｍが、瞼（上瞼、下瞼）に対して押し当てられるようになる。言い換えると、目頭側部分１１３Ｍが、瞼に向けて付勢される。
【００３０】
本実施形態では、支持部材２００が、ゴム紐３００によって、被験者の鼻側へ引っ張られ、また、瞼接触部材１００が、ゴム紐３００によって、被験者の右耳側へ引っ張られる。
本実施形態では、ゴム紐３００から瞼接触部材１００、支持部材２００に作用する張力を利用して、回転モーメントを、瞼接触部材１００、支持部材２００に生じさせ、瞼接触部材１００の目頭側部分１１３Ｍを瞼に向けて付勢する。
【００３１】
本実施形態では、図３（Ａ）に示すように、目頭側突出部２１０の先端部２１０Ａは、被験者の顔面から離れた箇所に位置しており、被験者の顔面から離れたこの箇所を、被験者の鼻側に引っ張る。
これにより、目頭側突出部２１０の根本部分あたりを中心に、瞼接触部材１００、支持部材２００が反時計回り方向に回転しようとする。そして、この回転により、瞼接触部材１００の目頭側部分１１３Ｍが、瞼に向けて付勢される。
【００３２】
さらに、本実施形態では、目頭側突出部２１０の先端部２１０Ａが、鼻側への引っ張り力が作用する引っ張り力作用箇所（以下、「鼻側引っ張り力作用箇所９０Ｎ」と称する）となっているが、本実施形態では、この鼻側引っ張り力作用箇所９０Ｎよりも瞼に近い側に、目頭側部分１１３Ｍが配置されている。
ここで、本実施形態では、鼻側ゴム紐３１０、目頭側突出部２１０等は、付勢手段として捉えることができ、この付勢手段によって、瞼接触部材１００のうちの目頭側に配置される部分（目頭側部分１１３Ｍ）が、瞼に向けて付勢される。
【００３３】
図３（Ｂ）は、開瞼装置１の比較例を示した図である。
この比較例では、目頭側突出部２１０が設けられていない。この場合、図３（Ｂ）に示すように、開瞼装置１は、一般的な眼帯と同様の形状を有する。この場合、瞼接触部材１００のうちの目頭側に配置される部分が、被験者の瞼から浮きやすい。
具体的には、人間の顔は、目頭の部分が窪んでおり、さらに、鼻が設けられている部分では、顔面の一部が突出している。この場合、瞼接触部材１００のうちの目頭側に近い部分が、瞼から浮きやすい。
これに対し、本実施形態では、目頭側でも、瞼接触部材１００が瞼に対して押し当たりやすくなり、開瞼状態が維持されやすくなる。
【００３４】
さらに、本実施形態では、図３（Ａ）に示すように、開瞼装置１を被験者に取り付けると、瞼接触部材１００は、瞼を含む被験者の顔面に押し当てられて、顔面から離れる方向に向かって凸となるように変形する。
より具体的には、本実施形態の瞼接触部材１００には、曲げ剛性が、瞼接触部材１００の他の部分よりも低い低剛性部が設けられている。そして、本実施形態では、この低剛性部にて瞼接触部材１００が曲がり、上記のとおり、顔面から離れる方向に向かって瞼接触部材１００が凸となる。
【００３５】
より具体的には、本実施形態では、瞼接触部材１００のうちの、支持部材２００により支持されていない部分である中央部分１１３Ｃおよび目尻側部分１１３Ｊの曲げ剛性が、他の部分である目頭側部分１１３Ｍの曲げ剛性よりも小さくなっている。
これにより、この中央部分１１３Ｃおよび目尻側部分１１３Ｊで、瞼接触部材１００が曲がり、瞼接触部材１００が、顔面から離れる方向に向かって凸となる。
付言すると、本実施形態では、瞼接触部材１００には、支持部材２００により支持されていない箇所が設けられ、この支持されていない箇所にて瞼接触部材１００が曲がり、瞼接触部材１００が、顔面から離れる方向に向かって凸となる。
【００３６】
さらに説明すると、本実施形態では、中央部分１１３Ｃおよび目尻側部分１１３Ｊが弾性変形するようになっており（中央部分１１３Ｃ、目尻側部分１１３Ｊは、弾性変形部としての機能を有しており）、開瞼装置１を被験者に取り付けると、中央部分１１３Ｃおよび目尻側部分１１３Ｊが、被験者の顔面に押し当てられ弾性変形する。
より具体的には、中央部分１１３Ｃは、被験者の瞼の形状に倣って凸となるように弾性変形し、目尻側部分１１３Ｊは、被験者の頭骨の形状に倣って凸となるように弾性変形する。
【００３７】
なお、本実施形態では、曲げ剛性が小さい低剛性部が、中央部分１１３Ｃ（被験者の瞼の長手方向における中央部に対向する箇所）から目尻側部分１１３Ｊにかけて設けられている場合を一例に説明したが、これに限らず、中央部分１１３Ｃのみに、低剛性部を設けてもよい。また、目尻側部分１１３Ｊのみに、低剛性部を設けてもよい。
【００３８】
中央部分１１３Ｃのみに低剛性部を設ける場合は、この中央部分１１３Ｃにて、瞼接触部材１００が曲がり、顔面から離れる方向に向かって瞼接触部材１００が凸となる。
また、目尻側部分１１３Ｊのみに低剛性部を設ける場合は、この目尻側部分１１３Ｊにて、瞼接触部材１００が曲がり、顔面から離れる方向に向かって瞼接触部材１００が凸となる。
【００３９】
ここで、瞼接触部材１００の全体が剛性を有している場合、瞼接触部材１００が、被験者の顔面の形状に倣いにくくなり、図３（Ｂ）にて示した比較例のように、瞼接触部材１００と被験者の瞼との間に隙間が生じやすくなる。
これに対し、本実施形態のように、瞼接触部材１００の一部の剛性が小さいと、瞼接触部材１００が、被験者の顔面の形状に倣いやすくなり、瞼接触部材１００と被験者の瞼との間に隙間が生じにくくなる。
【００４０】
ここで、本実施形態では、目頭側部分１１３Ｍについては、支持部材２００により支持され、中央部分１１３Ｃ、目尻側部分１１３Ｊに比べ、曲げ剛性が大きくなっている。
本実施形態では、上記のとおり、回転モーメントを発生させて、目頭側部分１１３Ｍを被験者の瞼に付勢しているが、目頭側部分１１３Ｍの剛性が低いと、目頭側部分１１３Ｍが変形しやすく、目頭側部分１１３Ｍが瞼に対して付勢されにくくなる。
このため、本実施形態では、目頭側部分１１３Ｍについては、支持部材２００により支持し、中央部分１１３Ｃ、目尻側部分１１３Ｊに比べ、曲げ剛性を大きくしている。
【００４１】
図４は、開瞼装置１の他の構成例を示した図である。
この構成例では、支持部材２００が、樹脂の成形品により構成されている。さらに、この支持部材２００は、図中矢印４Ａで示す方向から眺めた場合の形状がＵ字となるように形成されている。
また、この支持部材２００は、瞼接触部材１００の目頭側部分１１３Ｍから中央部分１１３Ｃにかけて設けられている。さらに、この支持部材２００は、瞼接触部材１００の目頭側部分１１３Ｍが設けられている箇所から中央部分１１３Ｃが設けられている箇所に向かうに従い、厚みが次第に小さくなる。
【００４２】
一方で、瞼接触部材１００は、ゴムなどの軟質の部材により構成されたシート材により形成され、さらに、環状に形成されている。
瞼接触部材１００は、上記と同様、第１部位１１１および第２部位１１２を備える。第１部位１１１および第２部位１１２の各々には、上記と同様、目頭側部分１１３Ｍ、中央部分１１３Ｃ、目尻側部分１１３Ｊが設けられている。
【００４３】
第１部位１１１および第２部位１１２の各々では、目頭側部分１１３Ｍ、中央部分１１３Ｃが支持部材２００により支持され、目尻側部分１１３Ｊは、支持部材２００により支持されていない。
さらに、開瞼装置１が被験者に対して固定されると、シート状に形成された瞼接触部材１００は、一方の面が被験者の顔面に対向するように配置される。
さらに、この構成例では、瞼接触部材１００の目尻側部分１１３Ｊが、低剛性部となっており、開瞼装置１が被験者に対して固定されると、この目尻側部分１１３Ｊが設けられている箇所にて、瞼接触部材１００が弾性変形する。
【００４４】
この構成例では、開瞼装置１が被験者に取り付けられると、この被験者の顔面の形状に倣って、目尻側部分１１３Ｊが弾性変形する。具体的には、図中矢印４Ｂで示すように、被験者側に向かうように、目尻側部分１１３Ｊが弾性変形する。
これにより、本実施形態では、上記と同様、被験者の顔面から離れる方向に向かって瞼接触部材１００が凸となる。
【００４５】
そして、この場合、被験者の瞼に、瞼接触部材１００が倣いやすくなり、被験者の瞼に対して瞼接触部材１００が密着しやすくなる。
ここで、本実施形態では、瞼接触部材１００は、シート状に形成されており、瞼接触部材１００がシート状に形成されていない場合に比べ、瞼接触部材１００は変形しやすくなる。そして、この場合、被験者の顔面の形状に瞼接触部材１００が倣いやすくなる。
【００４６】
ここで、この図４にて示すこの構成例では、図中符号４Ｅで示す部分を、瞼に接触して瞼の移動を規制する規制部（以下、「規制部４Ｅ」と称する）として捉えることができ、図中符号４Ｆで示す部分を弾性変形部（以下、「弾性変形部４Ｆ」と称する）として捉えることができる。
【００４７】
そして、この構成例では、この規制部４Ｅの方が、弾性変形部４Ｆよりも、被験者の顔面から離れる方向に向かって凸となりにくい構成となっている。
言い換えると、この構成例では、規制部４Ｅの曲げ剛性の方が、弾性変形部４Ｆの曲げ剛性よりも大きくなっている。さらに説明すると、本実施形態では、規制部４Ｅの肉厚の方が、弾性変形部４Ｆの肉厚よりも大きくなっている。
【００４８】
付言すると、本実施形態では、規制部４Ｅでは、瞼接触部材１００に加え支持部材２００が設けられている。その一方で、弾性変形部４Ｆでは、瞼接触部材１００のみが設けられ、支持部材２００は設けられていない。
これにより、本実施形態では、規制部４Ｅの方が、弾性変形部４Ｆよりも変形しにくく、規制部４Ｅの方が、弾性変形部４Ｆに比べ、被験者の顔面から離れる方向に向かって凸となりにくくなる。
【００４９】
ここで、例えば、規制部４Ｅの方が、弾性変形部４Ｆよりも、被験者の顔面から離れる方向に向かって凸となりやすいと、瞼を抑えるための荷重が瞼に伝わりにくくなり、瞼が閉じやすくなる。
これに対し、規制部４Ｅの方が、弾性変形部４Ｆよりも、被験者の顔面から離れる方向に向かって凸となりにくいと、瞼を抑えるための荷重が瞼に伝わりやすくなり、瞼が閉じにくくなる。
【００５０】
なお、この構成例でも、上記と同様、鼻側引っ張り力作用箇所９０Ｎよりも、瞼（顔面）に近い側に、目頭側部分１１３Ｍが配置される。
ここで、図３（Ａ）等にて示した構成例では、目頭側突出部２１０を設けることで、鼻側引っ張り力作用箇所９０Ｎを、被験者の顔面から離した。
【００５１】
これに対し、図４にて示す構成例では、支持部材２００の厚みを大きくすることで、鼻側引っ張り力作用箇所９０Ｎを、被験者の顔面から離している。
このように、鼻側引っ張り力作用箇所９０Ｎを、被験者の顔面から離すと（瞼接触部材１００の目頭側部分１１３Ｍよりも被験者の顔面から離れた側に位置させると）、上記と同様、支持部材２００に回転モーメントが作用する。これにより、上記と同様、目頭側部分１１３Ｍが、被験者の瞼に付勢され、目頭側部分１１３Ｍが、被験者の瞼から浮きにくくなる。
【００５２】
なお、上記では、支持部材２００を部分的に設けないようにすることで、瞼接触部材１００の曲げ剛性を部分的に低下させた。
ところで、瞼接触部材１００の部分的な剛性の低下は、支持部材２００を利用しないで行ってもよい。付言すると、支持部材２００に相当する部材が設けられていない場合であっても、瞼接触部材１００の材質や形状等を工夫することで、瞼接触部材１００の部分的な曲げ剛性の低下を行える。
【００５３】
具体的には、例えば、図５（開瞼装置１の他の構成例を示した図）に示すように、瞼接触部材１００の肉厚を部分的に小さくすることで、瞼接触部材１００の部分的な剛性の低下を行える。
より具体的には、例えば、瞼接触部材１００の中央部分１１３Ｃおよび目尻側部分１１３Ｊの肉厚を、目頭側部分１１３Ｍの肉厚よりも小さくすることで、瞼接触部材１００の部分的な剛性の低下を行える。
【００５４】
また、図示は省略するが、例えば、目尻側部分１１３Ｊの肉厚を、目頭側部分１１３Ｍの肉厚および中央部分１１３Ｃの肉厚よりも小さくすることで、瞼接触部材１００の部分的な剛性の低下を行える。
また、例えば、中央部分１１３Ｃの肉厚を、目頭側部分１１３Ｍの肉厚および目尻側部分１１３Ｊの肉厚よりも小さくすることで、瞼接触部材１００の部分的な剛性の低下を行える。
【００５５】
また、瞼接触部材１００の部分的な剛性の低下は、瞼接触部材１００を形成する材料を部分的に異ならせることで行ってもよい。
例えば、２色成形により瞼接触部材１００を形成するとともに、目頭側部分１１３Ｍを硬質の材料で形成し、中央部分１１３Ｃおよび目尻側部分１１３Ｊを軟質の材料により形成することで、瞼接触部材１００の部分的な剛性の低下を行える。
【００５６】
また、例えば、２色成形により瞼接触部材１００を形成するとともに、目頭側部分１１３Ｍおよび中央部分１１３Ｃを硬質の材料で形成し、目尻側部分１１３Ｊを軟質の材料により形成することで、瞼接触部材１００の部分的な剛性の低下を行える。
また、例えば、２色成形により瞼接触部材１００を形成するとともに、目頭側部分１１３Ｍおよび目尻側部分１１３Ｊを硬質の材料で形成し、中央部分１１３Ｃを軟質の材料により形成することで、瞼接触部材１００の部分的な剛性の低下を行える。
【００５７】
また、上記にて説明した構成例では、曲げ剛性が高い部分（高剛性部）と曲げ剛性が低い部分（低剛性部）との境界が明確であったが、高剛性部と低剛性部との境界は明確に設けずに、例えば、目頭側部分１１３Ｍから目尻側部分１１３Ｊに向かうに従い、剛性を次第に低下させるようにしてもよい。
なお、剛性を次第に低下させる方法としては、例えば、目頭側部分１１３Ｍから目尻側部分１１３Ｊに向かうに従い、瞼接触部材１００の肉厚を次第に小さくする。また、例えば、瞼接触部材１００を構成する材料の組成を、目頭側部分１１３Ｍから目尻側部分１１３Ｊに向かうに従い変化させる。
【００５８】
また、上記では、目頭側部分１１３Ｍと中央部分１１３Ｃとの境界や、中央部分１１３Ｃと目尻側部分１１３Ｊとの境界に、高剛性部と低剛性部との境界が位置する場合を一例に説明したが、例えば、中央部分１１３Ｃの長手方向における中央部に境界を設け、この境界よりも目尻側を低剛性部とし、この境界よりも目頭側を高剛性部としてもよい。
【００５９】
図６は、開瞼装置１の他の構成例を示した図である。図７は、開瞼装置１を被験者に取り付けた状態を示した図である。
図６に示すように、この構成例でも、被験者の瞼に配置される瞼接触部材１００が設けられている。この瞼接触部材１００は、環状に形成されている（外周縁が楕円状となるように形成されている）。なお、図６、図７にて示すこの構成例では、図１等にて示した支持部材２００は設けられていない。
【００６０】
瞼接触部材１００には、上記と同様、被験者の眼球を覆う上瞼および下瞼に接触配置され、上瞼および下瞼が閉じることを規制する規制部１１０が設けられている。より具体的には、規制部１１０として、第１規制部１１１および第２規制部１１２が設けられている。
第１規制部１１１は、被験者の上瞼および下瞼のうちの一方の瞼に接触して、この一方の瞼が閉じることを規制する。第２規制部１１２は、他方の瞼に接触して、この他方の瞼が閉じることを規制する。
【００６１】
図７に示すように、第１規制部１１１および第２規制部１１２の各々は、開瞼装置１が被験者に対して固定された場合に、被験者の目（眼球）の目頭側から目尻側にかけて配置される。図６に示すように、第１規制部１１１および第２規制部１１２の各々は、目頭側端部１１８および目尻側端部１１９を有する。
さらに、この構成例では、図６に示すように、第１規制部１１１（第１接触部材の一例）と第２規制部１１２（第２接触部材の一例）との離間距離Ｌ１が、１９．０ｍｍ以上３４．０ｍｍ以下となっている。
【００６２】
第１規制部１１１と第２規制部１１２との離間距離Ｌ１とは、開瞼装置１が被験者に装着されていない場合における（開瞼装置１が自然状態にある場合における）、第１規制部１１１の第２規制部１１２側の縁部１１１Ａと、第２規制部１１２の第１規制部１１１側の縁部１１２Ａとの離間距離を指す。
より具体的には、第１規制部１１１と第２規制部１１２との離間距離Ｌ１とは、鼻側引っ張り用部材３７０（詳細は後述）の延び方向（図中、破線１０Ｄで示す方向）と直交する方向における、縁部１１１Ａと縁部１１２Ａとの離間距離であって、この離間距離が最大となる部分における離間距離を指す。
【００６３】
図７に示すように、鼻側引っ張り用部材３７０は、被験者の眼球側（測定装置（不図示）による測定対象となる眼球側）（図中、左目側）から、被験者の鼻側に向かって延びるように配置され、瞼接触部材１００（規制部１１０）をこの鼻側へ引っ張るための部材である。
【００６４】
さらに、図７に示すように、本実施形態では、被験者の眼球側から被験者の耳側（測定対象となる眼球と同じ側に位置する耳側）に向かって延びるように配置され、瞼接触部材１００（規制部１１０）を、この耳側へ引っ張るための耳側引っ張り用部材３８０が設けられている。
言い換えると、本実施形態では、被験者の眼球（測定対象となる眼球）を挟み鼻側とは反対側へ、瞼接触部材１００を引っ張る耳側引っ張り用部材３８０が設けられている。
耳側引っ張り用部材３８０は、被験者の眼球を挟み鼻側とは反対側に向かって延びるように配置され、本実施形態では、耳側引っ張り用部材３８０により、鼻側とは反対側へ、瞼接触部材１００（規制部１１０）が引っ張られる。
【００６５】
さらに、この構成例では、図６、図７に示すように、瞼接触部材１００のうちの目頭側に配置される部分から、被験者の顔面から離れる方向に向かって突出する突出部５００が設けられている。ここで、本実施形態では、突出部５００として、第１突出部５１０、第２突出部５２０の２つの突出部５００が設けられている。
本実施形態では、この突出部５００の各々の突出方向における先端部に対して、鼻側引っ張り用部材３７０が取り付けられており、本実施形態では、瞼接触部材１００を被験者の鼻側へ引っ張るための引っ張り力を、この突出部５００の各々が受ける。
【００６６】
本実施形態では、突出部５００の各々の突出方向における先端部が、引っ張り力を受ける引っ張り力受け部５３０となっており、突出部５００の各々は、この引っ張り力受け部５３０にて、鼻側引っ張り用部材３７０からの引っ張り力を受ける。
より具体的には、本実施形態では、突出部５００の各々の先端部に対して、鼻側引っ張り用部材３７０の端部が固定されており、突出部５００の各々は、自身の先端部にて、鼻側引っ張り用部材３７０からの引っ張り力を受ける。
【００６７】
なお、本実施形態の開瞼装置１は、ゴム材料などの弾性を有する材料により構成されている。
また、本実施形態の開瞼装置１は、一部品により構成され、瞼接触部材１００、鼻側引っ張り用部材３７０、耳側引っ張り用部材３８０、および、突出部５００は、一体となって形成されている。
また、突出部５００は、瞼接触部材１００、鼻側引っ張り用部材３７０、および耳側引っ張り用部材３８０よりも厚みが厚い部分を有し、剛性が高い。付言すると、突出部５００は、回転モーメントによって、規制部１１０を瞼に対して押し当てるのに必要な剛性を有している。一方、瞼接触部材１００、鼻側引っ張り用部材３７０、および耳側引っ張り用部材３８０は、開瞼装置１が装着された場合に、被験者の顔の形状に沿いやすいような柔軟性を有している。
また、瞼接触部材１００の第１規制部１１１および第２規制部１１２はゴム材料などの弾性を有する材料により構成されているため、開瞼装置１が装着された状態で、第１規制部１１１および第２規制部１１２の位置（第１規制部１１１と第２規制部１１２との離間距離Ｌ１等）の調整が可能となっている。すなわち、開瞼装置１が装着された状態で、より好ましい位置に第１規制部１１１又は第２規制部１１２を微調整できるようになっている。
【００６８】
本実施形態では、図７に示すように、引っ張り力受け部５３０は、瞼接触部材１００（規制部１１０）よりも被験者の顔面から離れた側に配置される。
これにより、本実施形態では、図７に示すように、回転軸１１Ａを中心に瞼接触部材１００を回転させる回転モーメントＭが、瞼接触部材１００に作用する。
付言すると、被験者の眼球を覆う下瞼側から上瞼側に向かう方向に沿う回転軸１１Ａを中心に瞼接触部材１００を回転させる回転モーメントＭが瞼接触部材１００に作用する。
より具体的には、瞼接触部材１００のうちの目頭側に位置する部分を被験者の顔面に近づけ、瞼接触部材１００のうちの目尻側に位置する部分を被験者の顔面から離そうとする回転モーメントＭが瞼接触部材１００に作用する。
【００６９】
さらに、本実施形態では、図７に示すように、開瞼装置１が取り付けられた被験者の顔面を正面から見た場合に、被験者の一方の目の目頭と他方の目の目頭とを通る直線１１Ｂ上から外れた箇所に、第１突出部５１０、第２突出部５２０が位置する。
言い換えると、本実施形態では、第１突出部５１０、第２突出部５２０の各々に設けられた引っ張り力受け部５３０が、被験者の一方の目の目頭と他方の目の目頭とを通る直線１１Ｂ上から外れた箇所に位置する。
【００７０】
具体的には、本実施形態では、一方の突出部５００である第１突出部５１０が、直線１１Ｂを挟んで相対する一方の領域および他方の領域のうちの一方の領域側に位置する。また、他方の突出部５００である第２突出部５２０が、他方の領域側に位置する。
より具体的には、第１突出部５１０が、直線１１Ｂよりも図中上方側（被験者の額側）に位置し、第２突出部５２０が、直線１１Ｂよりも図中下方側（被験者の頬側）に位置する。
言い換えると、本実施形態では、被験者の下瞼側から上瞼側に向かう方向（図中、矢印１１Ｃで示す方向）（以下、「上下方向」と称する）において、第１突出部５１０と第２突出部５２０は、互いにずらされて配置されている。
【００７１】
さらに、図６に示すように、本実施形態では、第１突出部５１０と第２突出部５２０との間に、光を通すための光通過部５９０が設けられている。
より具体的には、本実施形態では、被験者の顔面に対する法線と交差する方向に沿って進行する光であって、上下方向と交差する方向（図７にて符号１１Ｄで示す方向）（以下、「交差方向」と称する）に沿って進行する光を通すための光通過部５９０が設けられている。
【００７２】
言い換えると、本実施形態では、第１突出部５１０と第２突出部５２０の各々に設けられた引っ張り力受け部５３０の間に、光通過部５９０が設けられている。
付言すると、本実施形態では、第１突出部５１０と第２突出部５２０は、互いに離間した状態で配置され、第１突出部５１０と第２突出部５２０との間には、光を通すための間隙が設けられている。
【００７３】
眼球に関する測定（検査）にあっては、光（測定光）が被験者の鼻側から眼球へ、又は、眼球から鼻側へ進行することがある。すなわち、眼球を横切るように光が照射される場合がある。この際に、本実施形態では、この光が、光通過部５９０を通過する。このように光通過部５９０を設けると、より広角での測定を行えるようになる。
なお、光通過部５９０は、第１突出部５１０と第２突出部５２０とを互いに離し両者の間に間隙を設けることで形成してもよいし、その他に、例えば、切り欠きや貫通孔を形成することで形成してもよい。また、その他に、例えば、光が進行していく経路上の部材を、透明な材料で構成することで、光通過部５９０を形成してもよい。
【００７４】
また、本実施形態のように、第１突出部５１０と第２突出部５２０との間を、光を通過させる場合、第１突出部５１０と第２突出部５２０との離間距離Ｌ３（図７参照）を、１４ｍｍ以上とすることが好ましい。
ここで、第１突出部５１０と第２突出部５２０との離間距離Ｌ３とは、第１突出部５１０と第２突出部５２０との離間距離のうちの、第１突出部５１０と第２突出部５２０とが最も接近している部分における離間距離を指す。
【００７５】
ここで、例えば、角膜に関する測定にあたっては、角膜の径は、概ね大きくても１３ｍｍくらいであり、離間距離Ｌ３を１４ｍｍよりも小さくすると、角膜に関する測定時に、光の光路上に、第１突出部５１０や第２突出部５２０が位置しやすくなる。
これに対し、第１突出部５１０と第２突出部５２０との離間距離Ｌ３を、１４ｍｍ以上とすると、角膜についての測定時における光路上に、第１突出部５１０や第２突出部５２０が位置しにくくなる。
【００７６】
図８は、被験者の正面から、被験者の頭蓋骨を見た場合の図である。
人間の頭蓋骨には、眼球の収まる、頭蓋骨のくぼみである眼窩９５０が存在する。
本実施形態では、第１規制部１１１および第２規制部１１２は、上瞼（図８では不図示）、下瞼のいずれかに押し当てられるとともに、図８に示すように、被験者の頭蓋骨のうちの、眼窩９５０の周囲に位置する縁部分９６０に押し当てられる。
【００７７】
より具体的には、本実施形態では、第１規制部１１１と第２規制部１１２との離間距離Ｌ１（図６参照）を、上記のように、１９．０ｍｍ以上〜３４．０ｍｍ以下としている。
離間距離Ｌ１を、１９．０ｍｍ以上〜３４．０ｍｍ以下とすると、第１規制部１１１および第２規制部１１２の一方の規制部が、一方の縁部分９６０（眉毛側又は頬側の一方の縁部分）に押し当てられ、また、他方の規制部が、他方の縁部分９６０に押し当てられる可能性が高くなる。
【００７８】
ここで、第１規制部１１１と第２規制部１１２との離間距離Ｌ１を、１９．０ｍｍよりも小さくすると、第１規制部１１１および第２規制部１１２の一方又は両方が、上記の縁部分９６０よりも内側の部分を押しやすくなってしまう。言い換えると、眼球の部分を押しやすくなってしまう。この場合、眼球が圧迫されてしまう。
また、第１規制部１１１と第２規制部１１２との離間距離Ｌ１を、３４．０ｍｍよりも大きくすると、瞼から離れた位置に、第１規制部１１１と第２規制部１１２の一方又は両方が、位置しやすくなり、開瞼機能が低下しやすくなる。
【００７９】
図９は、図６の矢印ＩＸ方向から開瞼装置１を眺めた場合の図である。
本実施形態では、図９に示すように、第１突出部５１０、第２突出部５２０の各々に設けられた引っ張り力受け部５３０は、規制部１１０から離れた箇所に配置されている。
さらに、本実施形態では、引っ張り力受け部５３０と、規制部１１０のうちの被験者の顔面に接触する接触部分１１０Ａとの離間距離Ｌ７が、８ｍｍ以上となっている。
【００８０】
引っ張り力受け部５３０と接触部分１１０Ａとの離間距離Ｌ７は、８ｍｍ以上とすることが好ましい。より好ましくは、１０ｍｍ以上であり、さらに好ましくは、１２ｍｍ以上である。また、１６ｍｍ以上とするとさらに良い。
ここで、引っ張り力受け部５３０と接触部分１１０Ａとの離間距離Ｌ７とは、開瞼装置１が被験者に装着されていない場合における（開瞼装置１が自然状態にある場合における）、引っ張り力受け部５３０と接触部分１１０Ａとの離間距離を指す。
【００８１】
また、引っ張り力受け部５３０と接触部分１１０Ａとの離間距離Ｌ７とは、図９の直線１３Ａ上における、引っ張り力受け部５３０と接触部分１１０Ａとの距離を指す。
より具体的には、引っ張り力受け部５３０と接触部分１１０Ａとの離間距離Ｌ７とは、引っ張り力受け部５３０を通る直線１３Ａであって、接触部分１１０Ａを通る平面１３Ｃと直交する直線１３Ａ上における、引っ張り力受け部５３０と接触部分１１０Ａとの離間距離を指す。
【００８２】
図１０は、引っ張り力受け部５３０と接触部分１１０Ａとの離間距離Ｌ７を変化させた場合の、開瞼機能の変化、および、開瞼装置１の装着感の変化を示した図である。本実施形態では、離間距離Ｌ７が互いに異なる複数種類の開瞼装置１を用意するとともに、これらの各々を被験者に装着してもらい、開瞼機能および装着感について調査した。
ここで、図１０では、Ａ、Ｂ、Ｃ、Ｄの順に、評価結果が良いことを示している。付言すると、Ｄに近いほど、評価結果が良いことを示している。
【００８３】
ここで、開瞼機能とは、瞼が開いた状態を維持する機能である。開瞼機能としての性能が高いと、規制部１１０が瞼に対して押し当てられる力が強く、瞼が開いた状態を維持されやすくなる。一方、開瞼機能としての性能が低いと、規制部１１０が瞼に対して押し当てられる力が弱くなり、瞼が閉じやすくなってしまう。
また、装着感とは、ユーザが開瞼装置１を装着したときの被験者の感覚である。より具体的には、装着感とは、開瞼装置１が被験者に取り付けられたときの、被験者の痛みの感じにくさをいい、装着感が良いとは、被験者が痛みを感じにくい状態をさす。
【００８４】
ここで、本実施形態では、離間距離Ｌ７が８ｍｍ以上となると、開瞼機能が向上し、離間距離Ｌ７が８ｍｍ未満である場合に比べ、瞼がさらに閉じにくくなった。これは、離間距離Ｌ７が８ｍｍ以上となると、鼻側引っ張り用部材３７０の第２分岐部３７２Ｃが被験者の鼻に接触しにくくなり、その分だけ規制部１１０が瞼に対して押し当てられる力が強まるためである。
付言すると、本実施形態では、離間距離Ｌ７が８ｍｍ未満の場合も、開瞼機能が得られ、また、装着感も一応良好なものが得られるが、離間距離Ｌ７が８ｍｍ以上となると、この開瞼機能がさらに向上した。
【００８５】
また、本実施形態では、離間距離Ｌ７が大きくなるほど、開瞼機能が向上し、また、装着感が向上することが判明した。より具体的には、離間距離Ｌ７が１０ｍｍ以上、１２ｍｍ以上、１６ｍｍ以上となる毎に、開瞼機能および装着感の両者が向上することが判明した。
ここで、本実施形態では、離間距離Ｌ７が大きくなると、瞼接触部材１００がより強く瞼に押し当てられ開瞼機能が向上する。また、離間距離Ｌ７が大きくなると、鼻への鼻側引っ張り用部材３７０の押し付け力が小さくなり、被験者の装着感が向上する。
【００８６】
なお、離間距離Ｌ７の上限については、離間距離Ｌ７を２４ｍｍ以下とすることが好ましい。
様々な実験を行った結果、離間距離Ｌ７を、２４ｍｍよりも大きくすると、眼球に関する測定を行う測定装置と、開瞼装置１の干渉が起こりやすくなることが判明した。２４ｍｍ以下とすると、この干渉が起きにくくなる。
【００８７】
さらに、本実施形態では、図６に示すように、鼻側引っ張り用部材３７０には、被験者のこめかみの部分に対向配置されるこめかみ対向部３７１と、このこめかみ対向部３７１よりも被験者の鼻側に配置される鼻側部３７２とが設けられている。
本実施形態では、鼻側部３７２に、この鼻側部３７２の長手方向に沿った間隙（溝）３７２Ａが形成されている。付言すると、鼻側部３７２では、鼻側引っ張り用部材３７０が分岐しており、第１分岐部３７２Ｂおよび第２分岐部３７２Ｃが設けられている。この第１分岐部３７２Ｂと第２分岐部３７２Ｃとの間に、間隙３７２Ａが設けられている。
【００８８】
図７に示すように、本実施形態では、被験者に開瞼装置１が取り付けられると、被験者の一方の目（測定対象ではない方の目）の対向位置に、間隙３７２Ａが位置する。付言すると、本実施形態では、この一方の目の上方を、第１分岐部３７２Ｂが通過し、この一方の目の下方を、第２分岐部３７２Ｃが通過する。
これにより、本実施形態では、測定対象ではない方の目の視線が、鼻側引っ張り用部材３７０により遮られることが抑制される。
【００８９】
また、図６に示すように、本実施形態では、こめかみ対向部３７１の部分は、シート状（帯状）となっており、こめかみ対向部３７１は、被験者の顔面（こめかみ）に面接触する。これにより、面接触しない場合に比べ、開瞼装置１が被験者に対してより安定的に固定される。
なお、本実施形態では、図６に示すように、耳側引っ張り用部材３８０についても、シート状（帯状）となっており、耳側引っ張り用部材３８０側でも、開瞼装置１が被験者に対してより安定的に固定される。
【００９０】
さらに、本実施形態では、図６に示すように、鼻側引っ張り用部材３７０の端部に、貫通孔により構成された被引っ掛け部３７４が設けられている。また、耳側引っ張り用部材３８０の端部に、フック状に形成され、被引っ掛け部３７４に引っ掛けられる引っ掛け部３７５が設けられている。
本実施形態では、被験者の後頭部にて、被引っ掛け部３７４に対して引っ掛け部３７５が引っ掛けられることで、鼻側引っ張り用部材３７０と耳側引っ張り用部材３８０とが相互に固定され、開瞼装置１が被験者に固定される。
【００９１】
さらに、図７に示すように、本実施形態では、突出部５００（第１突出部５１０、第２突出部５２０）が、瞼接触部材１００のうちの、被験者の目頭側に配置される部分から、突出する構成となっている。
これにより、本実施形態では、瞼接触部材１００のうちの目尻側に配置される部分が変形しやすくなり、この目尻側に配置される部分が、被験者の瞼に対して密着しやすくなる。そして、この場合、瞼接触部材１００と瞼との間に隙間が生じにくくなる。
ここで、例えば、突出部５００が、図１（Ｂ）にて示した中央部分１１３Ｃや目尻側部分１１３Ｊに相当する箇所から突出していると、この突出部５００に起因して、中央部分１１３Ｃや目尻側部分１１３Ｊの柔軟性が低下してしまう。この場合、中央部分１１３Ｃや目尻側部分１１３Ｊは、変形しにくくなり、瞼への密着度合いが低下してしまう。
【００９２】
また、図６、図７では、開瞼装置１が、一体の部材により構成された場合を説明した。付言すると、図６、図７では、瞼接触部材１００、突出部５００、鼻側引っ張り用部材３７０、耳側引っ張り用部材３８０が、それぞれ別部品ではなく、一体となっている構成例を説明した。
但し、これに限らず、瞼接触部材１００、突出部５００、鼻側引っ張り用部材３７０、耳側引っ張り用部材３８０の一部又は全部を別部品として、これらの部品を連結して開瞼装置１を構成するようにしてもよい。
【００９３】
また、鼻側引っ張り用部材３７０および耳側引っ張り用部材３８０は、必ずしもシート状（帯状）である必要はなく、開瞼装置１を被験者に固定し、瞼が閉じることを規制するよう瞼接触部材１００を機能させることができる部材であれば、形状や材質は問わない。
すなわち、開瞼装置１を被験者に固定するための部材としては、瞼が閉じることを規制するよう瞼接触部材１００を機能させることができる部材であれば、形状や材質は問わない。
【符号の説明】
【００９４】
１…開瞼装置、４Ｅ…規制部、４Ｆ…弾性変形部、１００…瞼接触部材、１１３Ｃ…中央部分、１１３Ｊ…目尻側部分、１１３Ｍ…目頭側部分、１１８…目頭側端部、１１９…目尻側端部、２００…支持部材、２１０…目頭側突出部、３００…ゴム紐、３１０…鼻側ゴム紐
【図１】
2019037744.tif 000003
【図２】
2019037744.tif 000004
【図３】
2019037744.tif 000005
【図４】
2019037744.tif 000006
【図５】
2019037744.tif 000007
【図６】
2019037744.tif 000008
【図７】
2019037744.tif 000009
【図８】
2019037744.tif 000010
【図９】
2019037744.tif 000011
【図１０】
2019037744.tif 000012